(57)【特許請求の範囲】
【請求項１】
筒状に形成された本体と、該本体の上端に設けられ火災感知器が収容されるハウジングと、前記本体の下端に設けられるボンベケースと、該ボンベケースに収納され内部に発煙剤を封入したガスボンベとを具備する試験器部と、前記本体の両側面とピン接合されると共に下端に支持棒と接続される接続部を有する支持フレームと、該支持フレームの接続部と接続される支持棒を備え、
前記支持棒が、前記火災感知器が設置された天井付近まで前記試験器部を近づけられる所定の長さを有する加煙試験器であって、
前記ボンベケースの下端外周の一部又は全部にわたって衝撃吸収材としての緩衝部を設け、
壁等に立てかけられた前記支持棒が前記支持棒の把持側を支点として転倒する際、前記緩衝部が床面に一番はじめに衝突するように、前記緩衝部の外径は、前記本体の外径より大きく形成されることを特徴とする加煙試験器。
【請求項２】
前記緩衝部は、高さ方向における中央部付近の外径が一番大きく形成されていることを特徴とする請求項１記載の加煙試験器。
【発明の詳細な説明】
【技術分野】
【０００１】
この発明は、火災感知器の動作を試験するために用いる、加煙試験器に関するものである。
【背景技術】
【０００２】
従来の加煙試験器は、天井に設置された火災感知器が収容されるハウジングと、発煙剤を封入したガスボンベと、該ガスボンベから前記ハウジング内に発煙剤を放出するノズルと、該ノズルを押下するノズル押下体と、該ノズル押下体を操作する操作ワイヤーとが一体に形成された試験器部と、前記火災感知器が設置された天井付近まで前記試験器部を近づけるための支持棒と、を備えている。
【０００３】
そして、作業者が火災感知器の試験を行う際には、前記支持棒の先端に試験器部を取り付け、支持棒を持ち上げて試験器部を被検査対象の火災感知器に近づけるとともに、該試験器部のハウジング内に収容する。その後、ハウジング内に設置されたコンタクト板を前記火災感知器に押し付けてノズル押下体を押し下げるか、又は、操作ワイヤーを引いて前記ノズル押下体を押し下げると、ボンベ内の発煙剤がノズルからハウジング内に放出される。そのため、ハウジング内は火災の様な状態（擬似火災状態）となるので、火災感知器の作動状態を試験することができる。
【先行技術文献】
【特許文献】
【０００４】
【特許文献１】特開平９−１６１１７１号公報
【発明の概要】
【発明が解決しようとする課題】
【０００５】
通常、火災感知器は天井面に数十台〜数百台設置されており、作業者は加煙試験器を火災感知器に一台ずつ押しつけることで作動試験を行っている。
【０００６】
このとき、支持棒は伸ばされた状態で連続して使用されるが、先端側に試験器部が取り付けられるため先端側に荷重が掛かり、バランスが悪くなる。そのため、作業者が一時的に加煙試験器を壁などに立てかけると、バランスを崩して倒れてしまい、先端に取り付けられた試験器部が床に衝突し、破損する虞がある。
【０００７】
この発明は、上記事情に鑑み、加煙試験器が倒れた場合でも、試験器部が破損するのを防止することを目的とする。
【課題を解決するための手段】
【０００８】
この発明は、筒状に形成された本体と、該本体の上端に設けられ火災感知器が収容されるハウジングと、本体の下端に設けられるボンベケースと、該ボンベケースに収納され内部に発煙剤を封入したガスボンベとを具備する試験器部と、本体の両側面とピン接合されると共に下端に支持棒と接続される接続部を有する支持フレームと、該支持フレームの接続部と接続される支持棒を備え、支持棒が、火災感知器が設置された天井付近まで試験器部を近づけられる所定の長さを有する加煙試験器であって、ボンベケースの下端外周の一部又は全部にわたって衝撃吸収材としての緩衝部を設け、壁等に立てかけられた支持棒が支持棒の把持側を支点として転倒する際、緩衝部が床面に一番はじめに衝突するように、緩衝部の外径は、本体の外径より大きく形成されることを特徴とするものである。
【０００９】
また、この発明の前記緩衝部は、高さ方向における中央部付近の外径が一番大きく形成されていることを特徴とするものである。
【発明の効果】
【００１１】
この発明は、以上のように構成したので、加煙試験器が倒れても緩衝部が床面と衝突するため、加煙試験器の試験器部が破損しにくいという効果を得ることができる。
【図面の簡単な説明】
【００１２】
【図１】本発明の実施形態を示す正面図である。
【図２】本発明の実施形態を示す平面図である。
【図３】本発明の実施形態を示す縦断面図である。
【図４】本発明の操作レバーの拡大斜視図である。
【図５】本発明の実施形態の加煙試験器の破損防止作用を説明する図である。
【発明を実施するための形態】
【００１３】
本発明の実施形態を図１〜５により説明する。加煙試験器の試験器部１は、樹脂によって筒状に形成された本体２と、天井に設置された火災感知器（図示省略）が収容されるハウジング３と、該火災感知器の試験を行う発煙剤を封入したガスボンベ４と、該ガスボンベ４から前記ハウジング３内に発煙剤を放出するノズル５と、該ノズル５を押下するノズル押下体６と、該ノズル押下体６を操作する操作レバー７と、を備えている。
【００１４】
前記本体２の上端には、前記ハウジング３が固定されているが、このハウジング３は、煙感知器の全体、又は、検出部のみを覆える大きさで、外周は蛇腹状に形成された樹脂製の円筒状体であり、中心軸方向に伸縮可能である。前記本体２の下端には、前記本体に螺着されるボンベケース８が設けられ、該ボンベケース８内には前記ガスボンベ４が収容されている。
【００１５】
前記ボンベケース８は、略円筒状体で、その下端の全周にわたって衝撃吸収部材としての緩衝部９が設けられている。該緩衝部９はシリコン又はゴム等の弾性を有する樹脂によって形成され、前記本体２の外径より大径となるように形成されている。
【００１６】
さらに前記本体２は、金属の平板を略Ｕ字状に折り曲げて形成された支持フレーム１０と、前記本体の高さ方向半分より上側で一方向にだけ４５°回動可能にピン接続されている。この支持フレーム１０の下端には接続部１０ａが設けられ、所定の長さを有するロッドなどの支持棒１１に取付けられる。この接続部１０ａには、詳細には図示しないが楕円形に貫通した取付孔が設けられ、支持棒１１に形成された突状の取付部に嵌合することで、ワンタッチで取付けられる。
【００１７】
前記支持棒１１は、直径の異なる筒状の金属棒を重ねることによって１〜１０ｍの範囲で伸縮可能に形成されている。また、前記支持棒１１は前記試験器部１の直径の半分以下の直径に形成されており、作業者が持ち運びしやすくなっている。
【００１８】
前記ノズル５は、本体２の中心軸上に上下動可能に支持されている。このノズル５の先端側には、火災感知器と接触するコンタクト板１２が設けられている。コンタクト板１２は、ノズル押下体６の先端に取り付けられ、上下方向に貫通した孔が同心状に８つ設けてあり、平面が略蓮状に形成されている。
【００１９】
これにより、ノズル５から放出された発煙剤がコンタクト板１２に妨害されることなく、火災感知器の試験部に流入する。前記ノズル押下体６は、内側にノズル５を収納し、前記本体２の底部に上下動可能に支持されている。
【００２０】
操作レバー７は、ノズル押下体６を挟む、互いに平行な２本の柱状体、例えば、金属製の円柱を折り曲げて形成されている。この操作レバー７は、図４に示すように、本体部７ａと、該本体部７ａの一端側の基端部７ｂと、その他端側の自由端部７ｃと、を備えている。
【００２１】
前記２本の柱状体の基端部７ｂには、外方に突出する外方突起１３が設けられ、この外方突起１３は、本体２内に設けられた軸受１４の軸穴に嵌着されている（軸支）。これにより、操作レバー７の基端部７ｂは、本体２内に回動可能に支持される。
【００２２】
自由端部７ｃは、試験器部１の本体２側面に設けた開口部１５から外部に向かって突出している。前記自由端部７ｃには、操作レバー７の引っ張り部材（図示省略）、例えば、ワイヤーが連結されている。
【００２３】
次に、本実施形態の作動について図５により説明する。本件加煙試験器では、試験の際に、（１）コンタクト板１２を火災感知器に押し付けてノズル押下体６を押下げる操作をする場合と、（２）操作レバー７に連結されたワイヤーを引いて前記ノズル押下体６を押し下げる操作をする場合と、がある。
【００２４】
点検を行う作業者は支持棒１１を伸ばし、加煙試験器の試験器部１を天井まで持ち上げ、試験器部１のハウジング３を天井に当接させることで、火災感知器をハウジング３で覆う。その後、（１）又は（２）の操作を行うことで火災感知器の試験を行う。そうすると、ノズル５が開放され、発煙剤がハウジング３内に放出されるので、該ハウジング３内に煙が充満し、擬似火災状態となる。この時における前記火災感知器の作動の有無をチェックする。即ち、前記火災感知器が作動すれば、正常であり、作動しなければ、異常である。
【００２５】
上記作業を、天井面に設置された火災感知器全てに対して行うため、作業者は適宜休憩を挟みながら作業を行うが、この休憩の際に支持棒１１を伸ばした状態で壁等に立てかけると、加煙試験器がバランスを崩して転倒する恐れがある。
【００２６】
加煙試験器の試験器部１の外径は支持棒１１の直径より大きく形成されているため、加煙試験器が転倒すると、はじめに試験器部１が床面１６に衝突する。ここで、加煙試験器は支持棒１１の把持側を支点として転倒するため、試験器部１は下端側から先に床面１６に衝突する。しかし、試験器部１はボンベケース８の下端に設けられたシリコン、又はゴム等の弾性を有する樹脂によって形成された緩衝部９が一番はじめに衝突するため、加煙試験器の試験器部１が床面１６に衝突した際の衝撃を軽減して、試験器部１の破損を防止できるという効果を奏する。
【００２７】
この発明の実施形態は、上記に限定されるものではなく、例えば、次の様にしてもよい。
【００２８】
前記緩衝部９は、ボンベケース８の下端全周にわたって設けたが、前記支持フレーム１０と直交する位置のボンベケース８の下端一部、又は前記支持フレーム１０の側面に設けてもよい。
【００２９】
また、試験器部１においてボンベケース８以外に、本体２等にも設けてもよい。
【符号の説明】
【００３０】
１  試験器部、２  本体、３  ハウジング、４  ガスボンベ、５  ノズル、６  ノズル押下体、７  操作レバー、７ａ  本体部、７ｂ  基端部、７ｃ  自由端部、８  ボンベケース、９  緩衝部、１０  支持フレーム、１１  支持棒、１２  コンタクト板、１３  外方突起、１４  軸受、１５  開口部、１６  床面
【図１】
0005755974.tif 000002
【図２】
0005755974.tif 000003
【図３】
0005755974.tif 000004
【図４】
0005755974.tif 000005
【図５】
0005755974.tif 000006